(57)【要約】【課題】容易に設置面に設置できる照明装置を提供する。【解決手段】照明装置１は、ＬＥＤを光源とする照明器具２と、商用電源から受電して前記ＬＥＤ用の点灯電力を生成するＡＣ変換アダプタとが電気ケーブル９により接続されてなり、照明器具２は、設置面に固定具により固定されるベース３と、ベース３に対して着脱自在に固定される灯具４とを備え、灯具４はＬＥＤの点灯・消灯用のスイッチ（６５１）を有する。【選択図】図１
2017168365.tif 000002
【特許請求の範囲】
【請求項１】
ＬＥＤを光源とする照明器具と、商用電源から受電して前記ＬＥＤ用の点灯電力を生成するＡＣ変換アダプタとが電気ケーブルにより接続されてなる照明装置において、
前記照明器具は、設置面に固定具により固定されるベースと、前記ベースに対して着脱自在に固定される灯具とを備え、
前記灯具は前記ＬＥＤの点灯・消灯用のスイッチを有する
照明装置
【請求項２】
前記灯具は、前記ベースに取り付けられる取付盤と、前記ＬＥＤを備える灯具本体と、前記灯具本体の姿勢を変更可能に前記灯具本体と前記取付盤とを連結する連結具とを有し、
前記スイッチは前記取付盤に設けられている
請求項１に記載の照明装置。
【請求項３】
前記灯具本体は、前記ＬＥＤを実装基板の表面に実装してなるＬＥＤモジュールと、点灯中の前記ＬＥＤの熱を放出するヒートシンクと、前記連結具に接続される接続具とが有底筒状のバッフルに備えられた構成であり、
前記ヒートシンクは、前記ＬＥＤモジュールを表面に搭載する板状のベース部と、前記ベース部の裏面から裏側に延伸するフィン部とを有し、
前記ヒートシンクを裏側から見たときに、前記接続具と前記フィン部とが重複しない状態で位置している
請求項２に記載の照明装置。
【請求項４】
前記灯具本体は、前記ＬＥＤから出射された光の配光を制御するレンズを備え、
前記レンズと前記ＬＥＤモジュールと前記ヒートシンクとが１つの固定具により一体化されている
請求項３に記載の照明装置。
【請求項５】
前記連結具は、前記設置面に対して直交する方向に延伸し、
前記ヒートシンクのフィン部は、前記直交する方向と平行な方向に延伸するフィンを複数列有し、
前記バッフルの底壁は、前記フィン間の裏側に対応する領域に貫通孔を複数個有している
請求項４に記載の照明装置。
【請求項６】
前記ヒートシンクのベース部は、前記フィン部に対して前記連結具側に位置し且つ前記連結具の延伸方向の両側部分から裏側に延伸するボス部を有し、
前記ヒートシンクを前記バッフルに固定するためのねじ孔が前記ボス部に設けられている
請求項５に記載の照明装置。
【発明の詳細な説明】
【技術分野】
【０００１】
本発明は、ＬＥＤを光源とする照明器具が設置面に取り付けられる照明装置に関する。
【背景技術】
【０００２】
近年、環境意識の高まりから、省電力化に優れたＬＥＤを光源に使用したＬＥＤ照明装置が盛んに用いられるようになり、壁等の設置面に直接取り付ける直付けタイプのものがある（例えば特許文献１である。）。
特許文献１の照明装置では、ＬＥＤに電力を供給するための電気ケーブルが設置面の裏側に配置され、またＬＥＤの点灯・消灯のスイッチが設置面に設けられている。
【先行技術文献】
【特許文献】
【０００３】
【特許文献１】特開２０１２−１８１９４７号公報
【発明の概要】
【発明が解決しようとする課題】
【０００４】
上記照明装置では、電気ケーブル及びスイッチの設置が大変であり、照明装置を簡単に設置できないという問題がある。
本発明は、容易に設置面に設置できる照明装置を提供することを目的とする。
【課題を解決するための手段】
【０００５】
本発明に係る照明装置は、ＬＥＤを光源とする照明器具と、商用電源から受電して前記ＬＥＤ用の点灯電力を生成するＡＣ変換アダプタとが電気ケーブルにより接続されてなる照明装置において、前記照明器具は、設置面に固定具により固定されるベースと、前記ベースに対して着脱自在に固定される灯具とを備え、前記灯具は前記ＬＥＤの点灯・消灯用のスイッチを有する。
【発明の効果】
【０００６】
上記構成によれば、灯具にスイッチがあるため、照明装置を容易に設置できる。
【図面の簡単な説明】
【０００７】
【図１】（ａ）は実施形態に係る照明器具を下方から見た斜視図であり、（ｂ）は実施形態に係る照明器具を後方から見た斜視図である。
【図２】実施形態に係る照明器具の縦断面図である。
【図３】実施形態に係る照明器具の分解状態を前方から見た斜視図である。
【図４】実施形態に係る照明器具の分解状態を後方から見た斜視図である。
【図５】実施形態に係る灯具本体の分解状態を上方から見た斜視図である。
【図６】実施形態に係るＬＥＤモジュールを下方から見た斜視図である。
【図７】（ａ）は実施形態に係るヒートシンクを上方から見た斜視図であり、（ｂ）はヒートシンクを下方から見た斜視図である。
【図８】（ａ）は実施形態に係るバッフルの縦断面図であり、（ｂ）はバッフルの平面図であり、（ｃ）はバッフルの底面図である。
【図９】（ａ）は実施形態に係るレンズを上方から見た斜視図であり、（ｂ）はレンズを下方から見た斜視図である。
【図１０】（ａ）は実施形態に係る接続具を上方から見た斜視図であり、（ｂ）は接続具を下方から見た斜視図である。
【図１１】実施形態に係る取付盤の分解状態を前方から見た斜視図である。
【図１２】実施形態に係る取付盤の分解状態を後方から見た斜視図である。
【図１３】実施形態に係るスイッチ回路ユニットを含めた後取付本体側を前方から見た斜視図である。
【発明を実施するための形態】
【０００８】
＜概要＞
実施形態の一態様に係る照明装置は、ＬＥＤを光源とする照明器具と、商用電源から受電して前記ＬＥＤ用の点灯電力を生成するＡＣ変換アダプタとが電気ケーブルにより接続されてなる照明装置において、前記照明器具は、設置面に固定具により固定されるベースと、前記ベースに対して着脱自在に固定される灯具とを備え、前記灯具は前記ＬＥＤの点灯・消灯用のスイッチを有する。
実施形態の別態様に係る照明装置において、前記灯具は、前記ベースに取り付けられる取付盤と、前記ＬＥＤを備える灯具本体と、前記灯具本体の姿勢を変更可能に前記灯具本体と前記取付盤とを連結する連結具とを有し、前記スイッチは前記取付盤に設けられている。これにより使い勝手のよい照明装置が提供される。
実施形態の別態様に係る照明装置において、前記灯具本体は、前記ＬＥＤを実装基板の表面に実装してなるＬＥＤモジュールと、点灯中の前記ＬＥＤの熱を放出するヒートシンクと、前記連結具に接続される接続具とが有底筒状のバッフルに備えられた構成であり、前記ヒートシンクは、前記ＬＥＤモジュールを表面に搭載する板状のベース部と、前記ベース部の裏面から裏側に延伸するフィン部とを有し、前記ヒートシンクを裏側から見たときに、前記接続具と前記フィン部とが重複しない状態で位置している。これにより放熱の効率化が図られる。
実施形態の別態様に係る照明装置において、前記灯具本体は、前記ＬＥＤから出射された光の配光を制御するレンズを備え、前記レンズと前記ＬＥＤモジュールと前記ヒートシンクとが１つの固定具により一体化されている。これにより組み立てが容易となる。
実施形態の別態様に係る照明装置において、前記連結具は、前記設置面に対して直交する方向に延伸し、前記ヒートシンクのフィン部は、前記直交する方向と平行な方向に延伸するフィンを複数列有し、前記バッフルの底壁は、前記フィン間の裏側に対応する領域に貫通孔を複数個有している。これにより外部からフィンが見え難くできる。
実施形態の別態様に係る照明装置において、前記ヒートシンクのベース部は、前記フィン部に対して前記連結具側に位置し且つ前記連結具の延伸方向の両側部分から裏側に延伸するボス部を有し、前記ヒートシンクを前記バッフルに固定するためのねじ孔が前記ボス部に設けられている。これにより小型化を図ることができる。
【０００９】
１．全体構成
本実施形態に係る照明装置１の概要について主に図１〜図４を用いて説明する。
照明装置１は、部屋の壁面、ベッドの宮等の設置面に取り付けられる照明器具２を備え、補助灯として使用される。例えば、ベッドの宮に取り付けられ、読書の際に手元の本を照射するのに当該照明装置１が利用される。照明器具２の方向について、下方を照らす状態を基準として、設置面に対して遠近する方向（設置面に対して直交する方向）を前後方向とし、前後方向と上下方向との直交する方向を左右方向とし、前後左右は設置面を背にした状態を基準とする。また、ＬＥＤ（５１１）から光が出射方向を表側し、ＬＥＤ（５１１）を実装している実装基板（５１３）が存在する側を裏側とする。
照明装置１は、ＬＥＤを光源とする照明器具２と、商用電源から受電して前記ＬＥＤ点灯用の電力を生成するＡＣ変換アダプタ（図示を省略する。）とを備え、照明器具２が電気ケーブル９によりＡＣ変換アダプタに接続されている。
ここでの電気ケーブル９は、照明器具２とＡＣアダプタに対して固定されているが、例えば、照明器具に対して着脱自在でＡＣアダプタに固定されてもよいし、照明器具とＡＣアダプタとに着脱自在に設けられてもよい。
照明器具２は、設置面に固定されるベース３と、ベース３に取り付けられる灯具４とを備える。灯具４は、ＬＥＤを光源とする灯具本体５と、ベース３に着脱自在に取り付けられる取付盤６と、灯具本体５と取付盤６とを連結する連結具７とを備える。なお、正面からの構成が、左右対称の構造となっており、バランスと安定性とを確保できる。
【００１０】
２．ベース
主に図３及び図４を用いて説明する。
ベース３は、ベース３を設置面に固定するための固定部と、灯具４の取付盤６を装着するための装着部とを有している。
ベース３は２種類の固定部３１，３２を有している。ベース３は、固定部３１及び固定部３２の一方だけを有してもよいし、他の種類の固定部を有してもよい。
ベース３は２種類の装着部３３，３４を有している。ベース３は、装着部３３及び装着部３４の一方だけを有してもよいし、他の種類の装着部を有してもよい。
ベース３は設置面と平行な面を前面に有する板状部３５を有している。ここでは、固定部３１，３２及び装着部３３，３４は板状部３５に設けられている。
なお、ここでのベース３は、ベース３を設置面に固定するのを補助する補助固定部３８を有している。ベース３を取付盤６よりも小さくしているので、設置面に取り付けた際に、正面から見た場合にベース３が見えない構造となり、ベース３の存在を感じない構造としている。
【００１１】
（１）固定部
固定部３１は貫通孔３１１により構成される。貫通孔３１１は１個又は複数個設けられている。安全性の観点から貫通孔３１１は複数個ある方が好ましい。ここでの貫通孔３１１は４個ある。前方から板状部３５を見たときに、４個の貫通孔３１１は板状部３５上に正方形の４角位置に存在する。この正方形は対角線の交点が板状部３５の略中央に位置する。
貫通孔３１１はピン（釘）用である。貫通孔３１１は前後方向に対して上下方向に傾斜する状態で設けられている。ここでの貫通孔３１１は、すべて後ろ下がり状に傾斜しているが、後ろ上がり状に傾斜してもよいし、後ろ下がりと後ろ上がりの両方でもよい。
固定部３１は貫通孔３１１に対応して凹入部分３１３を有している。つまり、貫通孔３１１は凹入部分３１３に設けられている。凹入部分３１３は貫通孔３１１の貫通方向と直交するように設けられている。例えば、貫通孔３１１が後ろ下がりに傾斜している場合、凹入部分３１３は上方に移るにしたがってより後ろ側へと凹入する。なお、凹入深さは貫通孔３１１を挿通するピンの頭部が凹入部分３１３から張り出さないように設定されている。
【００１２】
固定部３２は貫通孔３２１により構成される。貫通孔３２１は１個又は複数個設けられている。安全性の観点から貫通孔３２１は複数個（ここでは２個である。）ある方が好ましい。前方から板状部３５を見たときに、２個の貫通孔３２１は板状部３５の中央を挟んで左右方向に間隔をおいて存在する。
貫通孔３２１の前側部分は前拡がり状の截頭円錐状をしている。ここでの板状部３５の厚みは薄く、貫通孔３２１は板状部３５の後面に設けられた後述の台座部分３８１に設けられている。貫通孔３２１はタッピングねじやピン（釘）用である。これにより、板状部３５と設置面との隙間が小さくなり、タッピングねじを利用した場合でも板状部３５が割れるのを防止できる。
【００１３】
補助固定部３８は板状部３５の後面略中央に設けられ且つ後方へ張り出す台座部分３８１により構成される。ここでの台座部分３８１は、後方から見たとき、左右方向に長い矩形状をしている。台座部分３８１には両面テープが貼り付けられる。なお、補助固定部３８を利用せずにベース３を設置面に固定することもできる。
台座部分３８１に両面テープ（図示を省略。）が貼り付けられたベース３を設置面に押し付けることで、ベース３が設置面に仮固定される。これにより、固定部３１又は固定部３２を用いて行うベース３の設置面への固定が容易になる。なお、台座部分３８１の左右方向の端部には固定部３２の貫通孔３２１が設けられている。
【００１４】
（２）装着部
装着部３３は上下方向に延伸する溝３３１により構成される。溝３３１に取付盤６の係合部６３８（突出部分６３８ａ）が係合することで、取付盤６がベース３に装着される。
板状部３５を前側から見たとき、溝３３１は「Ｖ」字状するＶ字領域３３１ａを有している。ここでの溝３３１は、Ｖ字領域３３１ａの下端から下方へ一定の溝幅で延伸する縦溝領域３３１ｂを有し、全体として「Ｙ」字状をしている。取付盤６の係合部６３８（突出部分６３８ａ）は、Ｖ字領域３３１ａでガイドされながら挿入され、縦溝領域３３１ｂにより左右方向に位置決めされる。
【００１５】
装着部３４は突起３４１により構成される。突起３４１は取付盤６の係合部６３９に嵌る。これにより、取付盤６がベース３に対して左右方向に移動するのが規制される。ここでの装着部３４は２個ある。２個の突起３４１と装着部３３の溝３３１とで、溝３３１を頂角とする二等辺三角形を構成するように、装着部３４が設けられている。２つの突起３４１は、溝３３１を頂角とする二等辺三角形において頂点を通る上下方向の仮想線に対して左右対称となるように設けられている。これにより、灯具４をバランスよくベース３に装着ができる。
２つの突起３４１のそれぞれは、前方に突出する前突出部分３４１ａと、前突出部分３４１ａの突出先端から相手の突起３４１へと向かって張り出す横突出部分３４１ｂとを有している。ここでの突起３４１は、板状し、全体として「Ｌ」字状をしている。横突出部分３４１ｂは取付盤６の係合部６３９（係合片６３９ｂ、図１２を参照。）に係合する。これにより、取付盤６がベース３に対して前後方向に移動するのが規制される。
【００１６】
（３）板状部
ここでの板状部３５は円板状をしている。２個の突起３４１は円状の板状部３５における左右方向に延伸する直径よりも少し下側に位置している。これにより、取付盤６が安定して取り付けられる。
板状部３５の外周縁には後方へと延伸する鍔部３７が設けられている。板状部３５に設けられた凹入部分３１３の後面と鍔部３７の後端とが設置面に当接するように鍔部３７の延伸量（高さ）が設定されている。
なお、板状部３５は、前方から見て三角形等の多角形状、楕円状、長円状等であってもよい。また、板状部３５の板厚を厚くして鍔部３７をなくしてもよい。
【００１７】
３．灯具
主に図３、図４を用いて説明する。
灯具４は、上述のように、灯具本体５と取付盤６と連結具７とを備える。連結具７は灯具本体５の姿勢を調整可能に連結する。灯具本体５の方向について、灯具本体５から光が出射される側を表側とし、その反対側を裏側とする。例えば、灯具本体５から出射される光が設置面と直交する場合は表裏方向と前後方向とが一致し、灯具本体５から出射される光が設置面と平行な場合は表裏方向と上下方向とが一致する。
【００１８】
（１）灯具本体
主に図５を用いて説明する。
灯具本体５は少なくともＬＥＤモジュール５１とヒートシンク５３とをバッフル５５内に備える。灯具本体５は、上記構成以外に、ＬＥＤ５１１から出射された光の配光を制御するレンズ５７を備えてもよいし、ＬＥＤ５１１から出射された光を反射させる反射シート５８を備えてもよいし、連結具７と接続される接続具５９を備えてもよく、ここでの灯具本体５はレンズ５７、反射シート５８及び接続具５９を備える。なお、灯具本体５は、言うまでもなく、各構成部品を固定するための固定具も有する。
以下、各構成部品について説明する。
【００１９】
（１−１）ＬＥＤモジュール
主に図５及び図６を用いて説明する。
ＬＥＤモジュール５１は、光源であるＬＥＤ５１１と、ＬＥＤ５１１が実装される実装基板５１３とを備える。ここでは、ＬＥＤ５１１が２個ある。実装基板５１３はＬＥＤ５１１用の受電端子（図示を省略。）を含めた配線パターン（図示を省略。）を表面に有する。
実装基板５１３は貫通孔５１３ａを有している。貫通孔５１３ａはＬＥＤモジュール５１をヒートシンク５３に固定するためのものである。実装基板５１３は円板状をし、貫通孔５１３ａはその中心に設けられている。
実装基板５１３は欠け部５１３ｂを有している。欠け部５１３ｂにはＬＥＤモジュール５１の受電端子とスイッチ回路ユニット６５とを接続するリード線を固定する固定具５２が嵌る。
【００２０】
実装基板５１３はヒートシンク５３に対して位置決めを行う位置決め部を有している。ここでは、円状の実装基板５１３がヒートシンク５３の表面の円状の凹入部分５３１ａに嵌め込まれる。位置決め部は、前方から実装基板５１３を見たとき、実装基板５１３の径方向の外方へと張り出す張出部５１３ｃにより構成される。張出部５１３ｃはヒートシンク５３の凹入部分５３１ａにおける径方向の外方へ張り出す張出領域５３１ｂに嵌る（図７を参照。）。２個のＬＥＤ５１１同士を結ぶ仮想線は、欠け部５１３ｂと張出部５１３ｃとを結ぶ仮想線と略直交している。なお、実装基板５１３の位置決め用の張出部５１３ｃとヒートシンク５３の張出領域５３１ｂは、径方向の内方へと張り出す（凹入する）形状であってもよい。
【００２１】
（１−２）ヒートシンク
主に図５と図７を用いて説明する。
ヒートシンク５３は点灯中のＬＥＤ５１１（図６を参照。）の熱を放出する。ヒートシンク５３は、表面にＬＥＤモジュール５１を搭載するベース部５３１と、ベース部５３１の裏側に設けられたフィン部５３３とを有している。ヒートシンク５３はバッフル５５に固定するための固定部５３５を有している。ヒートシンク５３は、放熱効率を確保するために、アルミダイキャストで構成されるのが、好ましい。
【００２２】
（１−２−１）ベース部
ベース部５３１は実装基板５１３よりも厚い板状をしている。ベース部５３１は表面に凹入部分５３１ａを有している。この凹入部分５３１ａにＬＥＤモジュール５１が嵌め込まれる。凹入部分５３１ａはＬＥＤモジュール５１の実装基板５１３の形状に合わせて円状に凹入している。凹入部分５３１ａは、ＬＥＤモジュール５１の張出部５１３ｃ（図６を参照。）に対応して、表側から見たときに凹入部分５３１ａの他の部分よりも径方向の外方に張り出す張出領域５３１ｂを有している。
ベース部５３１は、ＬＥＤモジュール５１の欠け部５１３ｂ（図６を参照。）に対応して、外周縁から中心側に向かって凹入する欠け部分５３１ｃを有している。なお、欠け部分５３１ｃには固定具５２が嵌る。
【００２３】
ヒートシンク５３はＬＥＤモジュール５１とレンズ５７とを一体に固定するための固定具（ねじ体５４ａ）用の貫通孔５３１ｄをベース部５３１に有している。貫通孔５３１ｄはベース部５３１の中央に位置する。より具体的には、ベース部５３１は円板状をしており、その中心に貫通孔５３１ｄが設けられている。なお、貫通孔５３１ｄは凹入部分５３１ａに配された実装基板５１３の貫通孔５１３ａの位置に対応している。
【００２４】
（１−２−２）フィン部
本実施形態では、ヒートシンク５３のベース部５３１の裏側に接続具５９（図２を参照。）が配される。フィン部５３３は、ベース部５３１の裏側であって接続具５９が配される領域以外の領域に設けられている。つまり、ベース部５３１の裏側にフィン部５３３と接続具５９とが位置する。
ここでは、有底筒状のバッフル５５の開口が下向きの状態（図２に近い状態である。）で、接続具５９はバッフル５５の底側であって後部側部分に設けられた凹入部分に配される。このため、フィン部５３３は、ベース部５３１の表面が下方を向いた状態において、ベース部５３１の裏側であって前部側に設けられている。つまり、ベース部５３１の裏側であって後部側には接続具５９用の配置空間を確保するため、フィン部５３３はベース部５３１の前部に設けられている。なお、ベース部５３１の裏側であって後部側は平坦状をしている。
フィン部５３３は、ベース部５３１の裏面から裏側へと延伸するフィンを有している。ここでのフィン部５３３は、前後方向に延伸する複数列（ここでは５である。）のフィン５３３ａ〜５３３ｅを有する。フィン５３３ａ〜５３３ｅは平行に配されている。複数のフィン５３３ａ〜５３３ｅの後端部は連結フィン５３３ｆにより連結されている。なお、連結フィン５３３ｆはベース部５３１から突出して左右方向に延伸している。
【００２５】
（１−２−３）固定部
ヒートシンク５３はバッフル５５の底部５５１ｂに固定される。ここでは、ヒートシンク５３は、バッフル５５の底部５５１ｂに設けられたボス部に固定具を利用して固定される。なお、ボス部は底部５５１ｂから下方へと突出している。固定具にはねじ体５４ｂが利用され、ここでは２か所で固定される。固定部５３５は、ベース部５３１の裏面から裏側に突出する突出部分と、突出部分に設けられた貫通孔により構成される。突出部分はボス５３５ａであり、このボス５３５ａに中心軸に沿ってねじ孔５３５ｂが設けられている。
固定部５３５は、フィン部５３３の後方であって連結具７の延伸方向の両側に設けられている（図５を参照。）。換言すると、固定部５３５はベース部５３１の前後方向の略中央であって左右に間隔をおいた２か所に設けられている。なお、ヒートシンク５３がバッフル５５に固定された状態では、ヒートシンク５３の固定部５３５以外の部分は、バッフル５５との間に隙間を有している（図２を参照。）。これにより、ヒートシンク５３の放熱性が向上する。
【００２６】
（１−３）バッフル
主に図５及び図８を用いて説明する。
バッフル５５は、表側が開放する有底筒状に似た形状を有するバッフル本体５５１と、ヒートシンク５３を固定するためのヒートシンク固定部５５３と、連結具７と接続するための接続部５５５とを備えている。
【００２７】
（１−３−１）バッフル本体
バッフル本体５５１は、筒状部５５１ａと底部５５１ｂとを有し、底部５５１ｂの後部と筒状部５５１ａの底部５５１ｂに近い部分とに跨って接続部５５５が設けられている。ここでの接続部５５５は、連結具７の前端部に接続される接続具５９を固定することで、間接的に連結具７と接続される。
筒状部５５１ａは例えば円状の横断面を有する。筒状部５５１ａはその中心軸上を底部５５１ｂから離れるにしたがって直径が大きくなる。つまり、筒状部５５１ａは開口側拡がりのテーパ管状をしている。
筒状部５５１ａの内面であってＬＥＤ５１１（図６を参照。）よりも表側（光の出射方向側である。）部分に拡散処理が施されている。つまり、筒状部５５１ａの内面の表側部分が光拡散部５５１ｃとなっている。なお、光拡散処理の一例はシボ加工であり、光拡散部５５１ｃは凹凸面により構成されている。
【００２８】
底部５５１ｂは前側部分に１個又は複数個の貫通孔を有している。貫通孔はヒートシンク５３を冷却するための空気を通すためのものである。貫通孔５５１ｄ〜５５１ｉは、例えば６個あり、前後方向に長い形状をしている。複数個の貫通孔５５１ｄ〜５５１ｉは、左右方向に間隔をおいて設けられ、左右方向の端から中央に移るにしたがって前後方向に長くなっている。左右方向に隣接する貫通孔５５１ｄ〜５５１ｉの間隔（底が存在する部分である。）はヒートシンク５３のフィン５３３ａ〜５３３ｅ（図７を参照。）の左右方向の寸法に対応している。つまり、灯具本体５をバッフル５５の後方から見たときに、バッフル５５の底部５５１ｂの底（貫通孔５５１ｄ〜５５１ｉが存在しない部分である。）とヒートシンク５３のフィン５３３ａ〜５３３ｅとが重なり、バッフル５５の貫通孔５５１ｄ〜５５１ｉからフィン５３３ａ〜５３３ｅが見え難くなっている。
複数の貫通孔５５１ｄ〜５５１ｉとヒートシンク固定部５５３との間隔はヒートシンク５３の連結フィン５３３ｆ（図７を参照。）の前後方向の寸法に対応している。つまり、灯具本体５をバッフル５５の裏側から見たときに、バッフル５５の底部５５１ｂにおける貫通孔５５１ｄ〜５５１ｉとヒートシンク固定部５５３との間に存在する部分に連結フィン５３３ｆが重なり、バッフル５５の貫通孔５５１ｄ〜５５１ｉから連結フィン５３３ｆが見え難くなっている。
【００２９】
（１−３−２）ヒートシンク固定部
ヒートシンク固定部５５３は１個又は複数個ある。ここではヒートシンク固定部５５３は２個ある。２個のヒートシンク固定部５５３は、貫通孔５５１ｄ〜５５１ｉの後方にあり、左右方向に間隔をおいて存在する。バッフル５５を裏側から見たとき、２個のヒートシンク固定部５５３は、前後方向の中央にあり、図８の（ｃ）に示すように、貫通孔５５１ｄ〜５５１ｉと接続部５５５との間に位置する。
ヒートシンク固定部５５３は、バッフル５５の底部５５１ｂから表側へ突出する突出部分と、突出部分に設けられた貫通孔又はねじ孔とから構成される。突出部分はボス５５３ａにより構成され、貫通孔５５３ｂがボス５５３ａに設けられている。
ここでは、ヒートシンク５３とバッフル５５とを固定する固定具としてねじ体５４ｂが利用される。ねじ体５４ｂのねじ部は、バッフル５５の後方から貫通孔５５３ｂを通り、ヒートシンク５３のねじ孔５３５ｂに螺合する。ボス５５３ａの裏側は凹入しており、凹入部分５５３ｃにねじ体５４ｂの頭部が収容される。なお、ボス５５３ａの凹入部分５５３ｃは蓋体５６により塞がれる。
【００３０】
（１−３−３）接続部
接続部５５５の主要部は、上述のように、バッフル本体５５１の底部５５１ｂの後部と筒状部５５１ａの底部５５１ｂに近い部分とに跨って設けられている。ここでの接続部５５５は、底部５５１ｂと筒状部５５１ａとに跨って内側に凹入する凹入部５５６を利用している。つまり、接続部５５５の主要部は凹入部５５６を構成する壁に固定手段が設けられている。なお、この固定手段は接続具５９を固定するものである。なお、図８の（ａ）では凹入部５５６の引き出し線の先端を矢印にして右壁５５６ｄと区別し、図８の（ｂ）では凹入部５５６の引き出し線の先端を矢印にして下壁５５６ｂと区別している。
凹入部５５６は、矩形箱状に近い形状で凹入している。具体的には、凹入部５５６は、底部５５１ｂから下方へ延伸して前後方向と直交する前壁５５６ａ（図８の（ａ）を参照。）と、筒状部５５１ａから前方に延伸して上下方向と直交する下壁５５６ｂと、底部５５１ｂから下方へ延伸し且つ筒状部５５１ａから前方に延伸して左右方向と直交する左壁５５６ｃと右壁５５６ｄ（図８の（ａ）及び（ｂ）を参照。）とから構成される。
前壁５５６ａと下壁５５６ｂとが交差する部分は、左右方向を中心軸とした円弧状に湾曲する円弧壁５５６ｅとなっている。これにより、灯具本体５が連結具７に対して左右方向を回転軸として起伏可能（回転可能）となる。
凹入部５５６は前壁５５６ａと円弧壁５５６ｅに跨る貫通孔５５６ｆを有している。貫通孔５５６ｆはＬＥＤ５１１に電力を供給するためのリード線（図示を省略。）を通すためのものである。
【００３１】
凹入部５５６への接続具５９の固定には固定具が利用される。ここでの固定具はねじ体５４ｃ，５４ｄが利用される。接続具５９用の固定手段の１つは下壁５５６ｂに設けられた貫通孔５５６ｇ（図８の（ｂ）、（ｃ）を参照。）である。固定手段の１つは底部５５１ｂに設けられたねじ孔５５５ａ（図８の（ａ）、（ｃ）を参照。）である。ねじ孔５５５ａは、突起（ここではボス５５５ｂである。）に設けられている。
ねじ体５４ｃは、バッフル５５の内側から貫通孔５５６ｇを通り、接続具５９のねじ穴５９３ｂ（図１０の（ｂ）を参照。）に螺合する。ねじ体５４ｄは接続具５９の欠け部分５９５ｅを通り、ねじ孔５５５ａに螺合する。これにより、接続具５９が接続部５５５に固定される。
貫通孔５５６ｇは上記の接続部５５５の主要部である。ここでは、２種類の固定手段を利用しているが、主要部だけでもよい。但し、接続具５９の固定強度を考慮すると少なくとも２種類あった方がよい。
【００３２】
２つの貫通孔５５６ｇは左右方向に間隔をおいて下壁５５６ｂに設けられ、ねじ孔５５５ａは２つの貫通孔５５６ｇとで正三角形（二等辺三角形でもよい。）の頂点となる位置に設けられている。
下壁５５６ｂの後面であって２つの貫通孔５５６ｇの間には凹入部分５５６ｈが設けられている。凹入部分５５６ｈに連結具７の連結部７５（図３及び図４を参照。）が入り込み、灯具本体５の可動領域を広くしている。
ねじ孔５５５ａ用のボス５５５ｂは一対のボス５５３ａの略中間に設けられている。これにより、一対のボス５５３ａの間の空間を有効に利用できる。
【００３３】
（１−４）レンズ
主に図５及び図９を用いて説明する。
レンズ５７はヒートシンク５３に配されているＬＥＤモジュール５１を覆う。レンズ５７は、ＬＥＤモジュール５１を覆う状態で、固定具の一例であるねじ体５４ａによりヒートシンク５３に固定される。これにより、ヒートシンク５３とＬＥＤモジュール５１とレンズ５７とが１つのねじ体５４ａにより一体化される。
レンズ５７は、表側が塞がれた有底筒状部５７１と、有底筒状部５７１の底壁（後述の表壁５７１ａ１である。）からＬＥＤモジュール５１に向かって突出するレンズ部５７３とを有する。ここでのレンズ５７は、有底筒状部５７１及びレンズ部５７３の他、有底筒状部５７１から放射状に延伸する複数個のフィン５７５ａからなるフィン部５７５を有している。なお、レンズ５７は透光性を有する樹脂材料により構成されている。
【００３４】
（１−４−１）有底筒状部
有底筒状部５７１は、表壁５７１ａ１を底壁として有し、筒壁５７１ａ２の横断面が円状をしている。有底筒状部５７１は、表壁５７１ａ１の中央に裏側へと突出する突出部分を有している。ここでの突出部分は円柱状に突出するボス５７１ｂであり、その中心にねじ穴５７１ｃを有している。このねじ穴５７１ｃには、ヒートシンク５３の裏側からヒートシンク５３の貫通孔５３１ｄ、ＬＥＤモジュール５１の貫通孔５１３ａを挿通するねじ体５４ａが螺合する。なお、表壁５７１ａ１におけるボス５７１ｂの表側部分は凹入している。
【００３５】
有底筒状部５７１は開口側端から裏側に突出する突起５７１ｄを複数個（ここでは２個である。）有している。突起５７１ｄは表壁５７１ａ１の裏面から筒壁５７１ａ２に沿って延伸するリブ５７１ｆの先端に設けられている。突起５７１ｄはヒートシンク５３のベース部５３１の表面の凹み５３１ｅ（図７の（ｂ）を参照。）に嵌る。これによりレンズ５７のヒートシンク５３に対する位置決めが行われる。
【００３６】
有底筒状部５７１の表壁５７１ａ１の裏面（内面）におけるレンズ部５７３の存在する領域以外の領域には拡散処理が施されている。拡散処理は例えばシボ加工であり、ＬＥＤモジュール５１から出射された光を拡散させる。なお、ここでの光拡散部は凹凸加工されている。
有底筒状部５７１は開口側端から裏側に突出する突起５７１ｇを１個又は複数個（ここでは１個である。）有している。突起５７１ｇは筒壁５７１ａ２の開口側端面に設けられている。突起５７１ｇはヒートシンク５３のベース部５３１の欠け部分５３１ｃ内に進入する（図７を参照。）。
【００３７】
（１−４−２）レンズ部
レンズ部５７３はＬＥＤモジュール５１のＬＥＤ５１１（図６を参照。）に対応して設けられている。ＬＥＤ５１１は２個あるためレンズ部５７３は２個ある。レンズ部５７３は截頭円錐状に近い形状をしている。レンズ部５７３は有底筒状部５７１の表壁５７１ａ１の裏面から裏側へと離れるにしたがって直径が小さくなるような形状をしている。レンズ部５７３の縦断面図における外周面は外側に凸の放物線状をしている。
【００３８】
（１−４−３）フィン部
フィン部５７５は有底筒状部５７１の筒壁５７１ａ２の表側端から裏側端に亘って延伸するフィン５７５ａを複数有する。レンズ５７がヒートシンク５３に固定された状態において、フィン５７５ａの裏側端はヒートシンク５３に当接する（図２を参照。）。これにより、ヒートシンク５３が外気に触れることができ、ヒートシンク５３の熱を放熱させることができて、放熱効率が向上する。また、バッフル５５の内部を見え難くする意匠的効果も有している。
フィン５７５ａは、矩形状に、当該矩形状の表辺に三角形が組み合わされたような四角形状をしている。
【００３９】
（１−５）反射シート
主に図５を用いて説明する。
反射シート５８はヒートシンク５３に取り付けられたＬＥＤモジュール５１を、ＬＥＤ５１１を除いて、表側から覆う。反射シート５８はＬＥＤモジュール５１よりも大きく、ヒートシンク５３のベース部５３１の表面と略同じ大きさ及び略同じ形状をしている。反射シート５８は円状をし、ＬＥＤ５１１用の貫通孔５８ａを有する他、ねじ体５４ａ用の貫通孔５８ｂ、レンズ５７用の突起５７１ｄ用の貫通孔５８ｃを有している。反射シート５８によりＬＥＤ５１１から出射された光の取り出し効率が向上すると共に、ＬＥＤモジュール５１に接続されるリード線を隠すことができる。
【００４０】
（１−６）接続具
主に図５及び図１０を用いて説明する。
接続具５９は、連結具７（図３及び図４を参照。）に対して回転自在に取り付けられた状態で、バッフル５５の接続部５５５に固定されている。
接続具５９は連結具７の貫通孔７１１（図３及び図４を参照。）を挿通する軸部５９１を有している。接続具５９は、軸部５９１の長手方向の両端に配され且つ軸部５９１の両端部を固定する一対の対向部５９３，５９３と、一対の対向部５９３，５９３を連結する連結具５９５とを有している。
【００４１】
（１−６−１）軸部
軸部５９１は一対の対向部５９３，５９３の貫通孔（図示を省略。）を挿通する状態で固定される。軸部５９１は一対の対向部５９３，５９３間に位置する部分が丸棒状（ねじ加工等がされておらず、断面が円状をしている。）をしている。ここでは、軸部５９１としてねじ体が利用される。ねじ体は、一端部にねじ部を有し、一対の対向部５９３，５９３を挿通してねじ部がナット体５９２により固定されている。
【００４２】
（１−６−２）対向部
各対向部５９３は、軸部５９１と直交する板状部分５９３ａと、当該板状部分５９３ａを貫通する貫通孔（図示を省略。）とを少なくとも有している。軸部５９１は貫通孔を挿通することで一対の対向部５９３，５９３に架設される。各対向部５９３はバッフル５５に取り付けるための取付部分を有している。ここでの取り付けはねじ体５４ｃが利用され、取付部分は上下方向に延伸するねじ穴５９３ｂにより構成される。
左右方向の外方から各対向部５９３を見たときに、上部と後部とに跨る「Ｌ」字に張り出す張出部分５９３ｃを有している。接続具５９がバッフル５５の接続部５５５に固定されたとき、板状部分５９３ａとバッフル５５の接続部５５５との間の隙間が張出部分５９３ｃによって見えないように構成されている。これにより意匠性を向上させることができる。
板状部分５９３ａの後部に設けられている張出部分５９３ｃは下方が開口する中空構造をし、内部にねじ穴５９３ｂが設けられている。ねじ穴５９３ｂは板状部分５９３ａに設けられたボス５９３ｄを利用して設けられている。
【００４３】
（１−６−３）連結具
連結具５９５は一対の対向部５９３，５９３の板状部分５９３ａの前部側を１箇所又は複数個所で左右方向に連結する。ここでの連結具５９５は、前部を連結する前連結具分５９５ａと、下部を連結する下連結具分５９５ｂとの２つを有している。前連結具分５９５ａと下連結具分５９５ｂとの間には隙間５９５ｃが存在し、この隙間５９５ｃを介してリード線がバッフル５５内へと導入される。なお、このリード線はスイッチ回路ユニット６５とＬＥＤモジュール５１とを電気的に接続する。
連結具５９５は、接続具５９を固定するための固定部分を有している。固定にはねじ体５４ｄが利用されているため、固定部分は前連結具分から前方に張り出す前鍔部分５９５ｄの欠け部分５９５ｅにより構成される。なお、前鍔部分５９５ｄの上面は、バッフル５５のボス５５５ｂの下面と当接する。
一対の板状部分５９３ａ，５９３ａの外面間距離及び連結具５９５の左右方向の寸法はバッフル５５の貫通孔５５６ｆの大きさに対応しており、連結具５９５の一部がバッフル５５の貫通孔５５６ｆに嵌る。これにより接続具５９のバッフル５５に対する位置ずれを規制できる。
【００４４】
（２）取付盤
主に図３及び図４、図１１及び図１２を用いて説明する。
取付盤６は、前後方向を回転軸として連結具７を回転自在に装着する装着部と、ベース３に付け外し可能に取り付けられる取付部とを有している。取付盤６は中空構造を有し、内部に灯具本体５の点灯・消灯を行うスイッチ回路ユニット６５を収容する。取付盤６は、前取付本体６１、後取付本体６３及び装着具６７を有し、内部にスイッチ回路ユニット６５を収容する。取付盤６は、上部側に装着部を有し、装着部の下側に点灯・消灯用のスイッチ（センサー６５１）を有する。
【００４５】
（２−１）前取付本体
前取付本体６１は貫通孔６１１ａが設けられた板状部６１１を有している。貫通孔６１１ａは連結具７用である。貫通孔６１１ａの周辺部は連結具７を装着するための装着部の一部を構成する。つまり、貫通孔６１１ａの周辺部は、連結具７のベース７３１を支持する支持領域と、連結具７の回転をガイドするガイド領域とを有している。
【００４６】
ここでの板状部６１１は円板状をしている。板状部６１１は後方へ凹入し且つ前方から見たときに円状をする溝６１１ｂを有している。溝６１１ｂの内周側に位置する内周壁６１１ｃの前端は、溝６１１ｂの外周側に位置する外周壁６１１ｄの前端に対して後方に位置する。これにより、連結具７のベース７３１が溝６１１ｂの外周壁６１１ｄにより構成される円状の凹入部分に前側から嵌る。円状の外周壁６１１ｄの内周面はベース７３１の外周面に当接する。このため、外周壁６１１ｄの内周面はガイド領域の一例に相当する。
ベース７３１が凹入部分に嵌められた状態では、ベース７３１の後面が内周壁６１１ｃの前端面に当接する。このため、内周壁６１１ｃの前端面は連結具７のベース７３１を支持する支持領域の一例に相当する。なお、外周壁６１１ｄの前端と内周壁６１１ｃの前端との前後方向の距離は連結具７のベース７３１の厚みに相当し、ベース７３１が凹入部分に嵌ると、ベース７３１の前面と板状部６１１の前面とが面一状となる。
【００４７】
貫通孔６１１ａは、内周壁６１１ｃの内面に沿って設けられ、円状をしている。溝６１１ｂの底壁６１１ｅには後方に延出する後鍔部分６１１ｆが設けられている。
板状部６１１は後面に後方へと突出する突出片６１１ｇを有している。ここでの突出片６１１ｇは溝６１１ｂの外周側の一箇所に設けられている。
突出片６１１ｇは、後述の装着具６７が前後方向を回転軸として回転したときに、装着具６７に取り付けられ且つ装着具６７と共に回転する外筒部６７７の突起６７７ａと当接する。つまり、突出片６１１ｇは連結具７の回転を規制する（３６０°を超えて回転しないようする。）ためのものである。
【００４８】
前取付本体６１はスイッチ回路ユニット６５を固定するための固定部６１３と、スイッチ用の貫通孔６１１ｈとを板状部６１１に有している。
スイッチ回路ユニット６５の固定にはねじ体６８ａが利用されている。固定部６１３は、スイッチ回路ユニット６５の回路基板６５３を挿通するねじ体６８ａ用のねじ孔６１３ａを１個又は複数個有している。ここでのねじ孔６１３ａは貫通孔６１５の左右両側にそれぞれ１個あり、合計２個ある。ねじ孔６１３ａは後方へ突出するボス６１３ｂを利用して設けられている。固定部６１３は、後方へ突出する凸部分６１３ｃを有している。凸部分６１３ｃはスイッチ回路ユニット６５の回路基板６５３の貫通孔６５３ｂに嵌合する。これによりスイッチ回路ユニット６５は位置決めされ、貫通孔６５３ａはねじ体６８ａで固定される。
図１及び図２に示すように灯具本体５を前方から見たときに、貫通孔６１１ｈはバッフル５５とセンサー６５１とが重ならない位置に設けられている。具体的には、貫通孔６１１ｈは貫通孔６１１ａの下方に設けられている。これによりタッチレスのスイッチを利用しても誤操作で点灯や消灯するのを抑制できる。なお、貫通孔６１１ｈの中心と貫通孔６１１ａの中心とを結ぶ仮想線は上下方向と平行である。
【００４９】
前取付本体６１は、板状部６１１の周縁から後方へ張り出す後鍔部６１７を有している。これにより内部にスイッチ回路ユニット６５を収容する収容空間が得られる。前取付本体６１は後取付本体６３を固定するための固定部６１８を有している。前取付本体６１と後取付本体６３の取り付けには係合構造が利用される。ここでは、固定部６１８は後鍔部６１７の後端から中心へと張り出す係合爪６１８ａにより構成されている。係合爪６１８ａは周方向に等間隔をおいて複数個（ここでは４個である。）設けられている。
【００５０】
（２−２）後取付本体
主に図１１から図１３を用いて説明する。
後取付本体６３は前取付本体６１の後面側を塞ぐ蓋機能を有する。つまり、前取付本体６１と後取付本体６３とで取付盤６の筐体を構成する。後取付本体６３は板状部６３１を有している。後取付本体６３は、前取付本体６１の形状に対応し、前方から見たときに円状をしている。具体的には板状部６３１は円状をしている。後取付本体６３は、板状部６３１以外に、板状部６３１の周縁から前方に張り出す前鍔部６３３と、前鍔部６３３の前周縁から径方向の外方へと張り出す外鍔部６３５とを有する。ここでの前鍔部６３３は板状部６３１から前方に向かって拡径する前拡がり状に傾斜している。
【００５１】
後取付本体６３は前取付本体６１の固定部６１８に固定される固定部６３４を有している。（２−１）の前取付本体６１の項目で説明したように、ここでの取り付けに係合構造を利用しており、固定部６３４は外鍔部６３５に設けられた係合凹部６３４ａにより構成される。係合凹部６３４ａは周方向に間隔をおいて複数個（ここでは４個である。）ある。前取付本体６１の固定部６１８と後取付本体６３の固定部６３４との係合構造は逆であってもよいし、雌ねじと雄ねじのねじ構造、ねじ体を利用した螺合構造等であってもよい。
後取付本体６３は固定部６３４の周方向の両側に一対のリブ６３５ａを有している。リブ６３５ａは補強機能を有する他、後取付本体６３が前取付本体６１に対して回転するのを規制する回転規制機能を有する。なお、リブ６３５ａは外鍔部６３５及び前鍔部６３３に跨って前方に延伸している。
【００５２】
後取付本体６３は一端がＡＣ変換アダプターに接続された電気ケーブル９を内部に導入するための導入部６３７を板状部６３１に有している。電気ケーブル９は、ＡＣ変換アダプタにより商用電源の交流電力を灯具本体５のＬＥＤ５１１駆動用に変換された直流電源をスイッチ回路ユニット６５に供給する。電気ケーブル９の他端にはゴム製のブッシュ９３が設けられている。ブッシュ９３の先端からは一対のリード線（図示を省略。）が導出している。ブッシュ９３は、電気ケーブル９の中心側に凹入する凹み９３ａを長手方向にジグザグ状に有している。これによりブッシュ９３が屈曲可能な構成となる。ブッシュ９３の他端部であって他端から一端側に移った部位に周方向に延伸する溝９３ｂが設けられている。ブッシュ９３における他端部の後面側は平坦状（９３ｃ）となっている。これにより、電気ケーブル９を位置決め状態で導入部６３７に固定することができる。
【００５３】
導入部６３７は、電気ケーブル９の他端部を収容する溝６３７ａと、溝６３７ａ内に設けられた貫通孔６３７ｂ（図１３を参照。）と、を有する。溝６３７ａは前方に凹入する状態で板状部６３１に設けられている。貫通孔６３７ｂは板状部６３１の略中央に設けられている。溝６３７ａは板状部６３１の中央部から下部に延伸するように設けられている。ここでの溝６３７ａは、電気ケーブル９のブッシュ９３が配されるブッシュ部分６３７ｃと、電気ケーブル９用であって下方へ延伸する下ケーブル部分６３７ｄとを有する。溝６３７ａは下ケーブル部分６３７ｄの上下方向の略中間から左右方向に延伸する右ケーブル部分６３７ｅと左ケーブル部分６３７ｆを有している。右ケーブル部分６３７ｅ及び左ケーブル部分６３７ｆにおける溝の開口側部分は、電気ケーブル９が溝から抜ける（外れる）のを規制するように開口面積が小さくなっている。つまり、右ケーブル部分６３７ｅ及び左ケーブル部分６３７ｆを構成する一対の側壁の少なくとも一方の後端から相手側に張り出す出張片６３７ｋが設けられている。このように溝を設けることにより、設置面の状況により電気ケーブル９を、下方、左右方向の３方向に導くことが可能になり、設置の自由度を向上させることができる。さらに、設置面にモールを固定して設けて、モールに電気ケーブルを挿入して設置面に固定する方法をとることにより、取付面の意匠性の向上を図ることができる。
【００５４】
貫通孔６３７ｂは、図１３に示すように、ブッシュ部分６３７ｃの上壁に相当する部分（貫通孔６３７ｂのため正確には存在していない。）と、底壁における上壁側に相当する部分（貫通孔６３７ｂのため正確には存在していない。）と、に跨るように設けられている。ブッシュ部分６３７ｃの上壁６３７ｇには電気ケーブル９のブッシュ９３の後半分が嵌る凹み（図１３では、ブッシュの溝９３ｂが嵌っている部分が凹みであり、図１３に現れていない。）６３７ｉが設けられている。板状部６３１の上壁６３７ｇの上側にはブッシュ９３の他端部の一部が入るように凹み６３７ｈが設けられている。
ブッシュ部分６３７ｃの上部はさらに前方に凹入する段差部分６３７ｊとなっている。段差部分６３７ｊの下壁６３７ｍ（図１１を参照。）は図１３に示すようにスイッチ回路ユニット６５の回路基板６５３の上端に接する又は近接する。これにより回路基板６５３をより一層ガタツキなく保持できる。ブッシュ部分６３７ｃの底壁６３７ｎは回路基板６５３の後面に当接する。これにより回路基板６５３をさらにガタツキなく保持できる。
電気ケーブル９のブッシュ９３において、ブッシュ部分６３７ｃの上壁６３７ｇに嵌っている部分の前側は、前取付本体６１の板状部６１１のリブ６１９（図１２を参照。）と当接する又は近接する。これによりブッシュ９３は前後方向から支持され固定される。
【００５５】
後取付本体６３は装着部３３の溝３３１（図３及び図４を参照。）に係合する係合部６３８を有している。係合部６３８は後方へ突出する突出部分６３８ａにより構成され、上方から見たときに「Ｔ」字状をしている。これにより、装着部３３の溝３３１における縦溝領域３３１ｂ（図３及び図４を参照。）の両側に係合する。
【００５６】
後取付本体６３は、装着部３４の突起３４１（図３及び図４を参照。）に係合する係合部６３９を有している。係合部６３９は板状部６３１に設けている溝６３９ａを利用している。溝６３９ａは、電気ケーブル９用の溝６３７ａのブッシュ部分６３７ｃと下ケーブル部分６３７ｄと平行に上下方向に延伸するガイド溝である。溝６３９ａの上部側は、溝を構成する側壁の後端から張り出す係合片６３９ｂを有している。装着部３４の突起３４１が溝６３９ａを上部側に移動することで、突起３４１の横突出部分３４１ｂが係合片６３９ｂに係合（掛止）する。係合片６３９ｂの下端縁は、上側に移るにしたがって張り出し量が徐々に多くなる傾斜状をしている。これにより、装着部３４の突起３４１をスムーズに係合片６３９ｂへと案内できる。
【００５７】
（２−３）スイッチ回路ユニット
主に図１１〜図１３を用いて説明する。
スイッチ回路ユニット６５は、使用者のスイッチオン・オフ動作を検出する非接触タイプのセンサー６５１と、センサー６５１の検出に基づいてＬＥＤ５１１への電力供給をオン・オフするスイッチ回路（図示を省略。）とを有している。センサー６５１及びスイッチ回路は回路基板６５３に実装され、当該回路基板６５３に電気ケーブル９のリード線が接続されている（図示を省略。）。これにより回路ユニットの小型化を図ることができる。なお、回路を構成する電子部品は回路基板６５３の前面に実装されている。
回路基板６５３はスイッチ回路ユニット６５を前取付本体６１に固定するための貫通孔６５３ａを有している。貫通孔６５３ａにはねじ体６８ａのねじ部が挿通する。回路基板６５３はスイッチ回路ユニット６５を前取付本体６１に対して位置決めするため貫通孔６５３ｂを有している。貫通孔６５３ａ，６５３ｂは前取付本体６１のねじ孔６１３ａや凸部分６１３ｃに対応して設けられている。なお、スイッチ回路ユニットは、例えば、調光用回路や、複数種類の発光色のＬＥＤを備える場合の調色用回路を有してもよい。センサー６５１は、消灯、点灯、調光用の操作を認識できればよく、センサーのタイプは特に限定するものではない。ここでは、センサー６５１として非接触タイプが利用され、センサー６５１の前方を遮る時間等で、消灯、点灯、調光用の操作を検出する。なお、センサー６５１は赤外線を利用している。
【００５８】
（２−４）装着具
装着具６７は、前後方向を回転軸として連結具７（図３及び図４を参照。）を回転自在に前取付本体６１に装着する。ここでは、連結具７は前取付本体６１の貫通孔６１１ａに対して前方から挿入されて板状部６１１の後側で固定される。
【００５９】
連結具７は、前取付本体６１の板状部６１１の貫通孔６１１ａを構成している内周壁６１１ｃの前端面に当接すると共に、貫通孔６１１ａを挿通する部分が板状部６１１の後面側に配された装着具６７に固定される。これにより連結具７が前取付本体６１に対して回転自在となる。なお、連結具７は前取付本体６１の溝６１１ｂの内部に配された円環板状体６６に当接する。円環板状体６６は前取付本体６１の摩擦係数よりも小さい摩擦係数を有している。ここでは、前取付本体６１はポリカーボネート（ＰＣ：摩擦係数０．３６）により構成され、円環板状体６６はポリオキシメチレン（ＰＯＭ：摩擦係数０．１８）により構成されている。これにより、連結具７の回転をスムーズに行えると共に連結具７の摩耗を抑制できる。
【００６０】
装着具６７は前取付本体６１の貫通孔６１１ａよりも大きい有底円筒状をしている。装着具６７は、前取付本体６１の溝６１１ｂにより構成される円環状の凸部分を後方から覆う。装着具６７は、円状の底壁部６７１と、底壁部６７１の外周縁に設けられた外筒部６７７とを有する。ここでの装着具６７は外筒部６７７と平行に延伸する内筒部６７３を底壁部６７１に有している。なお、内筒部６７３及び外筒部６７７は同心円状で前方へと延伸する。
【００６１】
装着具６７は連結具７と結合する結合部を有している。ここでの結合はねじ体６８ｂを利用して行われる。このため装着具６７はねじ体６８ｂ用の貫通孔６７１ａを底壁部６７１に有している。ここでは貫通孔６７１ａは連結具７の回転軸を挟んだ２か所に設けられている。なお、底壁部６７１には、一対の貫通孔６７１ａ以外に、電気ケーブルのリード線用の貫通孔６７１ｂが設けられている。貫通孔６７１ｂは回転軸上に設けられている。
【００６２】
装着具６７は前取付本体６１の貫通孔６１１ａに嵌合する嵌合部を有している。ここでの嵌合部は内筒部６７３により構成される。円筒状の内筒部６７３の外周面が前取付本体６１の溝６１１ｂを構成する内周壁６１１ｃの内周面に当接（又は近接）する。貫通孔６１１ａは円状をしているため、装着具６７は前取付本体６１にガタツキなく回転自在となる。
装着具６７は、内筒部６７３に対して外側に間隔をおいて円筒状に延伸する中筒部６７５を底壁部６７１の前面に有している。内筒部６７３と中筒部６７５との間隔は前取付本体６１の底壁６１１ｅの後鍔部分６１１ｆに対応している。これにより、装着具６７は前取付本体６１に対してガタツキなく回転自在となる。
装着具６７の外筒部６７７は前取付本体６１の溝６１１ｂを構成する外周壁６１１ｄの外周面に当接（近接）する。これにより、装着具６７は前取付本体６１に対してガタツキなく回転自在となる。外筒部６７７は径方向の外方へ突出する突起６７７ａを１個有している。突起６７７ａは、装着具６７が回転したときに前取付本体６１の突出片６１１ｇと当接する大きさ（突出量である。）である。これにより装着具６７（連結具７）が一回転する（３６０度を超えて回転する。）のを規制できる。また、連結具７の中に挿入されているリード線のねじれ防止も兼ねている。
【００６３】
（３）連結具
主に図３及び図４を用いて説明する。
連結具７は、灯具本体５に固定される灯具本体側固定部７１と、取付盤６に固定される取付盤側固定部７３と、灯具本体側固定部７１と取付盤側固定部７３とを連結する連結部７５とを有している。
【００６４】
（３−１）灯具本体側固定部
灯具本体側固定部７１は、灯具本体５に対して左右方向を回転軸として回転自在に固定される。換言すると、灯具本体５は設置面側（取付盤６）に対して起伏自在に固定される。灯具本体側固定部７１は、取付盤６の板状部６１１と平行な方向、例えば板左右方向に延伸する貫通孔７１１を有している。ここでは、連結部７５の前端の左右２か所から前方に延伸する延伸片７１３に貫通孔７１１が設けられている。この貫通孔７１１に灯具本体５の接続具５９の軸部５９１（図１０を参照。）が挿通する。
【００６５】
（３−２）取付盤側固定部
取付盤側固定部７３は、円板状のベース７３１と、ベース７３１の後面から後方に突出する一対のボス７３３とを有し、ボス７３３にねじ体６８ｂ用のねじ孔７３３ａが設けられている。ボス７３３は連結部７５の中心軸を挟んだ２箇所に設けられている（図１１及び図１２を参照。）。
ベース７３１は、円板状をし、取付盤６の円環状の溝６１１ｂにより形成される円状の凹入部分に嵌る。この状態では、ベース７３１の前面は前取付本体６１の板状部６１１と略面一となっている。溝６１１ｂの凹入部分にベース７３１が嵌った状態では、ベース７３１は取付盤６の溝６１１ｂの内周壁６１１ｃ（図１１を参照。）の前端面により後側から支持される。
ボス７３３は装着具６７の貫通孔６７１ａ（図１２を参照。）に対応して設けられている。なお、ここでは２つのボス７３３は円筒状に後方に張り出す円筒部分７３５に連続する状態で設けられている。
【００６６】
（３−３）連結具
連結部７５は筒状をしている。連結部７５は、取付盤側固定部７３から灯具本体側固定部７１に移るにしたがって細くなる円錐台状をしている。この形状により、連結部７５の強度の確保を行っている。ここでは、筒状は円筒状である。連結部７５の内部の空間はベース７３１に設けられた円筒部分７３５につながっている。灯具本体側固定部７１の一対の延伸片７１３は筒状の連結部７５の端面から延伸している。これにより、電気ケーブル９のリード線が連結部７５の内部を通過できる。
以上、一実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００６７】
＜変形例＞
１．照明器具
（１）ベース
実施形態のベース３は円状をしていたが、例えば、三角形状や四角形状であってもよいし、長円状や楕円状であってもよいし、矩形状であってもよい。また、ベース３は取付盤６より小さいサイズに構成されているが、取付盤よりも大きなベースであってもよい。この場合、ベースを上下方向に長い矩形状とし、ベースの裏側に電気ケーブルを配するようにしてもよい。
（２）灯具
実施形態の灯具４は灯具本体５を姿勢変更可能に備えている。具体的には、連結具７が取付盤６に対して設置面と直交する方向（延伸方向）を回転軸として回転自在とされ、灯具本体５が設置面と直交する方向（延伸方向）と直交する方向を回転軸として回転自在とされていたが、他の方式で姿勢変更可能としてもよく、例えば、連結具と灯具本体との接続部分を、球状の被嵌合部と、球状の凹みを有し且つ前記球体に嵌合する嵌合部とで構成することで実施できる。この場合、例えば連結具と取付盤とを一体構造とすることもできる。
実施形態の灯具４はヒートシンク５３を有していたが、ＬＥＤ数を多くして投入電流を小さくすることで発熱量を抑えることができる場合、ヒートシンクを有さなくてもよい。
実施形態の灯具４は有底円筒状のバッフル５５を有していたが、例えば、横断面形状が六角形状等の多角形状のバッフルであってもよい。実施形態の灯具４は円盤状の取付盤６を有していたが、例えば、正面視形状が三角形や四角形等の多角形状の取付盤であってもよいし、長円状、楕円状の取付盤であってもよいし、さらに、矩形状の取付盤であってもよい。実施形態の灯具本体５は設置面に対して直交する方向に延伸する連結具を有していたが、例えば、設置面に対して傾斜する方向に延伸する連結具であってもよい。
（３）その他
実施形態では、ベース３と灯具４とを別部材で構成されていたが、ベースを構成する部材とベースとを一体部材で構成してもよい。例えば、灯具４の取付盤６の後取付本体６３とベースとを一体部材により構成してもよい。
【００６８】
２．ＬＥＤモジュール
実施形態のＬＥＤモジュール５１を構成するＬＥＤ５１１は２個であったが、３個以上の複数個であってもよい。このマトリクス状に配されてもよいし、１重又は多重の環状に配されてもよい。ＬＥＤモジュール５１を構成する実装基板５１３は１枚により構成されているが、実装基板は複数枚により構成されてもよい。
ＬＥＤモジュール５１は同じ光色を発するＬＥＤ５１１を備えていたが、例えば、光色の異なる複数種類のＬＥＤを備え、調色可能な構成としてもよい。なお、この場合も調色回路はスイッチ回路ユニットに組み込まれるのが好ましい。
【００６９】
３．スイッチユニット
実施形態のスイッチ回路ユニット６５は、被接触のセンサー６５１を利用しているが、例えば、ボタン式、ボリューム式（回転式）、スライド式等のスイッチを利用してもよい。スイッチ回路ユニット６５は、実装基板５１３と別の回路基板６５３を備えていたが、例えば、実装基板と回路基板とを一体にした形態でもあってもよい。
【００７０】
４．ヒートシンク
実施形態のフィン部５３３は、設置面に対して直交する方向と平行な方向に延伸するフィン５３３ａ〜５３３ｅを複数列有しているが、例えば、直交する方向と直交する方向に延伸するフィンを備えてもよし、棒状のフィンを備えてもよい。これらのフィンの場合も、バッフルはフィンの裏側を除いた部位に貫通孔を有していればよい。
【符号の説明】
【００７１】
１    照明装置
２    照明器具
３    ベース
４    灯具
５    灯具本体
６    取付盤
７    連結具
５１    ＬＥＤモジュール
５３    ヒートシンク
５５    バッフル
５９    接続具
５３１    ベース部
５３３    フィン部
【図１】
2017168365.tif 000003
【図２】
2017168365.tif 000004
【図３】
2017168365.tif 000005
【図４】
2017168365.tif 000006
【図５】
2017168365.tif 000007
【図６】
2017168365.tif 000008
【図７】
2017168365.tif 000009
【図８】
2017168365.tif 000010
【図９】
2017168365.tif 000011
【図１０】
2017168365.tif 000012
【図１１】
2017168365.tif 000013
【図１２】
2017168365.tif 000014
【図１３】
2017168365.tif 000015